(57)【要約】【課題】端部に位置する表装材の位置決めを容易に行うことができると共に、作業性を改善することができ、外観を向上させることができる表装材の施工方法及びその方法に使用される支持具を提供する。【解決手段】表装材１４の施工方法では、表装材１４の端部を支持する支持具２３を建築物の外壁面１５などに固定し、該支持具２３上に表装材１４の下端部を支持する。続いて、該表装材１４の表側重ね代部１７の上に隣接する表装材１４の裏側重ね代部１６を載せて貼着し、それを順に繰り返す。この支持具２３としては、外壁面１５などに被覆される表装材１４全体の端部を支持する長さを有することが好ましい。また、支持具２３は凹状に形成され、その外側折曲片が表装材１４の基板非支持部に取付けられた充填材の凹条に係合されるように構成されている。【選択図】図１
2009030245.tif 000002
【特許請求の範囲】
【請求項１】
基板と、該基板の表面に設けられる介装シートと、該介装シートの表面に設けられる化粧材とより構成され、前記介装シートの隣接する２辺側の表面には化粧材の隣接する２辺から張り出す表側重ね代部が形成されると共に、介装シートの他の２辺側の裏面には基板の隣接する２辺から張り出す裏側重ね代部が形成された表装材を、表側重ね代部の上に裏側重ね代部を載せて貼着し、それを順に繰り返して建築物の壁面を複数の表装材で被覆する表装材の施工方法において、
表装材の下端部を支持する支持具を建築物の壁面に固定し、該支持具上に表装材の下端部を支持し、該表装材の表側重ね代部の上に隣接する表装材の裏側重ね代部を載せて貼着し、それを順に繰り返すことを特徴とする表装材の施工方法。
【請求項２】
前記支持具は、建築物の壁面に被覆される表装材の下辺長より長い長さを有することを特徴とする請求項１に記載の表装材の施工方法。
【請求項３】
前記表装材の裏側重ね代部に基づく基板非支持部には、基板を支持する充填材が配設されていることを特徴とする請求項１又は請求項２に記載の表装材の施工方法。
【請求項４】
前記充填材の底面には凹条が形成されると共に、支持具は凹状に形成され、その外端部の折曲片が充填材の凹条に係合するように構成されていることを特徴とする請求項３に記載の表装材の施工方法。
【請求項５】
請求項１から請求項４のいずれか１項に記載の表装材の施工方法に使用される支持具であって、建築物の壁面に固定され、表装材の下端部を支持し、該表装材の表側重ね代部の上に隣接する表装材の裏側重ね代部を載せて貼着し、それを順に繰り返して施工できるように構成されていることを特徴とする表装材の施工方法に使用される支持具。
【発明の詳細な説明】
【技術分野】
【０００１】
本発明は、建築物の壁面、床面又は天井面を被覆するために使用される表装材の施工処理方法及びその方法に使用される支持具に関するものである。
【背景技術】
【０００２】
従来、この種の表装材について、複数の表装材を重ね合せて建築物の外壁面を被覆するためのものが知られている（例えば、特許文献１を参照）。すなわち、係る表装材は、基板と、その基板の表面に貼着された介装シートと、その介装シートの表面に定着された化粧材とから構成されている。そして、介装シートの隣接する２辺の表面には化粧材の隣接する２辺から張り出す表側重ね代部が形成されると共に、介装シートの他の２辺の裏面には基板の隣接する２辺から張り出す裏側重ね代部が形成されている。この表装材を建築物の外壁面等に施工する場合には、介装シート及び基板に固定のための孔をあけ、最初に固定する表装材を外壁面の所定位置に前記孔に釘などを打ちつけて固定する。次に、最初の表装材の表側重ね代部にその隣接位置に配置する表装材の裏側重ね代部を重ねて相互に貼着させる。続いて、このような操作を順次繰り返すことにより、外壁面全体に表装材を貼着することができる。
【特許文献１】特許第３０２３０７５号公報（第１頁及び第３頁）
【発明の開示】
【発明が解決しようとする課題】
【０００３】
しかしながら、特許文献１に記載されている表装材を建築物の外壁面に貼着する場合、最初に外壁面に貼着した表装材の表側重ね代部にその隣接位置の表装材の裏側重ね代部を重ねて貼着したとき、粘着剤の粘着力に対して表装材の自重が大きいため、重ね合わされた表装材の位置が若干下がることがある。そのような場合、表装材間で位置ずれが生じて見栄えが悪くなるという問題があった。そのため、係る表装材の位置を修正する作業を要することがあった。さらに、外壁面に貼着する表装材の特に下端部に位置する表装材を位置決めするために、位置決め用の線を引いたり、仮止めしたりするなどの予備作業を実施する必要があり、作業性が悪いという問題があった。
【０００４】
本発明は、このような従来技術の問題点に着目してなされたものであり、その目的とするところは、下端部に位置する表装材の位置決めを容易に行うことができると共に、作業性を改善することができ、外観を向上させることができる表装材の施工方法及びその方法に使用される支持具を提供することにある。
【課題を解決するための手段】
【０００５】
上記の目的を達成するために、請求項１の表装材の施工方法は、基板と、該基板の表面に設けられる介装シートと、該介装シートの表面に設けられる化粧材とより構成され、前記介装シートの隣接する２辺側の表面には化粧材の隣接する２辺から張り出す表側重ね代部が形成されると共に、介装シートの他の２辺側の裏面には基板の隣接する２辺から張り出す裏側重ね代部が形成された表装材を、表側重ね代部の上に裏側重ね代部を載せて貼着し、それを順に繰り返して建築物の壁面を複数の表装材で被覆するものである。そして、表装材の下端部を支持する支持具を建築物の壁面に固定し、該支持具上に表装材の下端部を支持し、該表装材の表側重ね代部の上に隣接する表装材の裏側重ね代部を載せて貼着し、それを順に繰り返すことを特徴とする。
【０００６】
請求項２の表装材の施工方法は、請求項１に係る発明において、前記支持具は、建築物の壁面に被覆される表装材の下辺長より長い長さを有することを特徴とする。
請求項３の表装材の施工方法は、請求項１又は請求項２に係る発明において、前記表装材の裏側重ね代部に基づく基板非支持部には、基板を支持する充填材が配設されていることを特徴とする。
【０００７】
請求項４の表装材施工方法は、請求項３に係る発明において、前記充填材の底面には凹条が形成されると共に、支持具は凹状に形成され、その外端部の折曲片が充填材の凹条に係合するように構成されていることを特徴とする。
【０００８】
請求項５の表装材の施工方法に使用される支持具は、請求項１から請求項４のいずれか１項に記載の表装材の施工方法に使用される支持具であって、建築物の壁面に固定され、表装材の下端部を支持し、該表装材の表側重ね代部の上に隣接する表装材の裏側重ね代部を載せて貼着し、それを順に繰り返して施工できるように構成されていることを特徴とする。
【発明の効果】
【０００９】
本発明によれば、次のような効果を発揮することができる。
請求項１の表装材の施工方法においては、表装材の下端部を支持する支持具を建築物の壁面に固定し、該支持具上に表装材の下端部を支持し、該表装材の表側重ね代部の上に隣接する表装材の裏側重ね代部を載せて貼着し、それを順に繰り返すものである。このように、支持具によって表装材の下端部が支持されるため、支持具を壁面に固定した後、その支持具上に表装材を載せるだけで表装材の位置決めを行うことができ、表装材の位置ずれを防止することができる。従って、下端部に位置する表装材の位置決めを容易に行うことができると共に、作業性を改善することができ、外観を向上させることができる。
【００１０】
請求項２の表装材の施工方法では、支持具が建築物の壁面に被覆される表装材の下辺長より長い長さを有していることから、請求項１に係る発明の効果に加え、複数の表装材の下端部を同時に位置決めすることができ、作業性を一層改善することができ、外観をさらに向上させることができる。
【００１１】
請求項３の表装材の施工方法では、表装材の裏側重ね代部に基づく基板非支持部には、基板を支持する充填材が配設されている。このため、請求項１又は請求項２に係る発明の効果に加えて、基板非支持部における空隙部を充填材で埋めることができ、その部分における強度、断熱性などの性能を向上させることができる。
【００１２】
請求項４の表装材の施工方法では、充填材の底面には凹条が形成されると共に、支持具は凹状に形成され、その外端部の折曲片が充填材の凹条に係合するように構成されている。このため、請求項３に係る発明の効果に加え、支持具による表装材の支持を一層確実なものにすることができる。
【００１３】
請求項５の表装材の施工方法に使用される支持具は、建築物の壁面に固定され、表装材の下端部を支持するものである。従って、係る支持具を使用して前記表装材の施工方法を実施することにより、請求項１から請求項４のいずれかに係る発明の効果を発揮することができる。
【発明を実施するための最良の形態】
【００１４】
以下、本発明の最良と思われる実施形態を図１〜９に基づいて詳細に説明する。
図４及び図６に示すように、基板１１上には介装シート１２が設けられ、該介装シート１２上には化粧材１３が設けられて積層構造を有する表装材１４が構成されている。基板１１は鉄、アルミニウム等の金属などにより形成されて剛性を有すると共に、その表裏両面には黒皮等の腐食防止膜が設けられている。また、基板１１は樹脂発泡体により形成されていてもよい。この基板１１としては、後述する充填材２７と同じ材質にすることが好ましい。この場合、基板１１と充填材２７との線膨張係数を合せることができると共に、断熱性能を得ることができる。介装シ−ト１２は、不織布、ガラスクロス、セラミックペ−パ−、合成紙等の素材により形成され、柔軟性を有している。化粧材１３は、天然石やその砕石、着色骨材、着色プラスチック砕粒を、合成樹脂エマルション、合成樹脂の溶剤溶液、ホットメルト樹脂等に配合して所定形状に成形し、その表面に模様が施されたもので、柔軟性及び防水性を有している。係る化粧材１３は、合成樹脂エマルション等の塗装又はその成形物の貼着により形成される。この表装材１４は、建築物の外壁面１５のほか、内壁面、床面又は天井面を被覆するために用いられる。
【００１５】
図５（ａ）〜（ｃ）に示すように、これらの化粧材１３、介装シ−ト１２及び基板１１は、共に矩形平板状に形成され、化粧材１３及び基板１１は同形同大で、介装シ−ト１２はそれらよりも大きく形成されている。そして、基板１１の隣接する２辺１１ａ、１１ｂが、介装シ−ト１２の隣接する２辺１２ａ、１２ｂと合致し、介装シ−ト１２の他の隣接する２辺１２ｃ、１２ｄが基板１１から張り出している。そして、介装シ−ト１２の２辺１２ｃ、１２ｄ側の裏面には、裏側重ね代部１６が形成されている。
【００１６】
また、化粧材１３の隣接する２辺１３ｃ、１３ｄが介装シ−ト１２の隣接する２辺１２ｃ、１２ｄと合致し、介装シ−ト１２の他の隣接する２辺１２ａ、１２ｂが化粧材１３から張り出している。そして、介装シ−ト１２の２辺１２ａ、１２ｂ側の表面には、表側重ね代部１７が形成されている。表側重ね代部１７と裏側重ね代部１６とは、介装シート１２の対角線を介して相互に対向（点対称位置）している。
【００１７】
図４及び図６に示すように、表側重ね代部１７及び裏側重ね代部１６にはそれぞれ粘着剤層１８、１９が形成され、それらの表面が剥離テ−プ２０、２１で被覆されて保護されている。この場合、表側重ね代部１７及び裏側重ね代部１６の少なくとも一方に粘着剤層１８、１９が設けられておればよい。粘着剤層１８、１９を形成する粘着剤としては、アクリルゴム系、非加硫ブチルゴム系、シリコ−ンゴム系、スチレン−ブタジエン共重合ゴム系、ポリイソプレン系、ポリビニルエ−テル系等の粘着剤が用いられる。これらの粘着剤は、粘着テ−プ、ラベル等に通常用いられる材料である。剥離テープ２０、２１は、テープ基材に特にフッ素樹脂、シリコ−ン樹脂等の離型剤を塗布したものである。この剥離テ−プ２０、２１の色は、介装シ−ト１２の色に対する対照色が用いられ、明確な色分けがなされている。表側重ね代部１７における化粧材１３の周縁部と粘着剤層１８との間には、非粘着部２２が形成されている。
【００１８】
表装材１４を複数並べて使用する際には、各化粧材１３間に非粘着部２２による隙間ができるように表装材１４が配置される。このように各化粧材１３間に隙間を設けるために、基板１１の大きさは、化粧材１３と非粘着部２２とを合わせた面積と同形同大に形成される。この場合、表装材１４を外壁面１５等へ貼り付けていく際に、隣接する基板１１を突き合せて貼り付けていくことにより、自ずと隣接する化粧材１３間に一定間隔の隙間が形成される。従って、この隙間を目地として活用することができると共に、簡単かつ確実に一定幅の目地を形成することができる。さらに、目地の部分に粘着剤層１８が露出することなく、目地の部分に埃が貼り付くことを防止することができる。
【００１９】
さて、このように構成された表装材１４を複数並べ、建築物の外壁面１５等に固定する場合には、介装シ−ト１２の表側重ね代部１７において、その介装シ−ト１２及び基板１１の所要位置に固定のための図示しない貫通孔をあける。その後、必要に応じて基板１１の裏面に形成された粘着剤層１９上の剥離テ−プ２１を剥がして、表装材１４を目的とする外壁面１５等へ貼着させると共に、前記貫通孔を介して固定具を打ちつけて固定する。固定具としては、釘、ビス、木ねじ、アンカーピン等が用いられる。次いで、表装材１４の隣接する表裏の表側重ね代部１７及び裏側重ね代部１６を重ねて相互に貼着させる。この操作を順次繰り返していけばよいので、施工を容易に行うことができる。しかも、表装材１４の裏面には鉄製の基板１１が貼着されているので、外壁面１５等の下地が連続した平面でなくても、図９に示すように、表装材１４を凹凸なく整然と貼り付けることができる。なお、この明細書においては、内容の理解を容易にするために、図１、図２、図４、図６等における各部材の厚さを誇張して厚く描いてある。また、図９においては、表装材１４の枚数を少なくして描いてある。
【００２０】
さらに、表装材１４は、使用される位置に応じて種々の全体形状のものが選択される。すなわち、図９のＡ位置には図７に示したものが使用される。つまり、基板１１上に介装シート１２を貼着し、その上に化粧材１３を貼着して、介装シート１２の裏面に裏側重ね代部１６及び介装シート１２の表面に表側重ね代部１７が形成されたものである。図８（ａ）に示す表装材１４は、図９のＢ位置に使用されるもので、介装シ−ト１２及び基板１１の２点鎖線部が切除されたものである。図８（ｂ）に示す表装材１４は、図９のＣ位置に使用されるもので、裏側重ね代部１６が下部のみに形成されたものである。図８（ｃ）に示す表装材１４は、図９のＤ位置に使用されるもので、裏側重ね代部１６が形成されないものである。図８（ｄ）に示す表装材１４は、図９のＥ位置に使用されるもので、介装シ−ト１２及び基板１１の２点鎖線部が切除されたものである。
【００２１】
図８（ｅ）に示す表装材１４は、図９のＦ位置に使用されるもので、裏側重ね代部１６が左部のみ形成されたものである。図８（ｆ）に示す表装材１４は、図９のＧ位置に使用されるもので、介装シ−ト１２及び基板１１の２点鎖線部が切除されたものである。図８（ｇ）に示す表装材１４は、図９のＨ位置に使用されるもので、介装シ−ト１２及び基板１１の２点鎖線部が切除されたものである。図８（ｈ）に示す表装材１４は、図９のＩ位置に使用されるもので、介装シ−ト１２及び基板１１の２点鎖線部が切除されたものである。上記の場合には、外壁面１５等の縦横長が表装材１４の縦横長のほぼ倍数の関係にある場合である。このようなほぼ倍数の関係にない場合には、外壁面１５等の外周縁に位置する表装材１４を必要な大きさに合わせて切って使用される。
【００２２】
上記のような表装材１４の施工方法において、表装材１４を建築物の外壁面１５に最初に貼着、固定した表装材１４の表側重ね代部１７にその隣接位置の表装材１４の裏側重ね代部１６を重ねて貼着する場合、粘着剤の粘着力に対して表装材１４の自重が大きいと、重ね合わされた表装材１４の位置が若干下がることがある。その場合、表装材１４間で位置ずれが生じて見栄えが悪くなり、修正作業を要するときがある。そのような不具合が生じないようにするため、支持具を使用して表装材１４を支持する施工方法が実施される。
【００２３】
そこで、支持具を使用した表装材１４の施工方法について説明する。
図１に示すように、支持具２３はアルミニウム、鉄等の金属材料を折り曲げて断面逆Ｊ字状（凹状）に形成され、図９に二点鎖線で示すように、外壁面１５に被覆される表装材１４全体の下端部を支持する長さ（図９のＤ、Ｆ及びＩの全体の長さ）を有している。該支持具２３の側壁を形成する内側折曲片２４が外側折曲片２６よりも長くなるように構成されている。そして、その内側折曲片２４が図示しない釘、ビス等の固定具により外壁面１５の所定位置に固定されるようになっている。係る支持具２３は１つの表装材１４に対応させた長さに設定することもできるが、表装材１４の下辺長より長い長さを有することが好ましく、特に外壁面１５を覆う表装材１４全体の長さに設定することにより、複数の表装材１４の下端部を同時に位置決めすることができ、作業を効率良く進めることができる。
【００２４】
図１の二点鎖線に示すように、支持具２３の内側面には一定間隔をおいて弾性材料（スポンジゴム、樹脂発泡体等）よりなる緩衝材２５が貼り付けられ、支持具２３内に支持される表装材１４の損傷及び位置ずれを抑制することができるようになっている。なお、この緩衝材２５は支持具２３の内底部に貼り付けることもできる。また、緩衝材２５の材質、長さ、厚さなどは適宜設定することができる。
【００２５】
図２に示すように、表装材１４の裏側重ね代部１６に基づく基板非支持部２８には、基板１１を支持する充填材２７が接合されている。図２及び図３に示すように、該充填材２７の底面には逆凹状をなす凹条２７ａが形成されると共に、支持具２３はその外端部の外側折曲片２６が充填材２７の凹条２７ａに係合するように構成されている。このような支持構造を採用することにより、表装材１４を支持具２３で強固に支持することができる。そして、支持具２３が基板１１を支持することで表装材１４を支持することができ、支持具２３が化粧材１３の表面に露出しないようになっている。
【００２６】
この充填材２７は、圧縮強度があって、撓まない材料で構成される。充填材２７として具体的には、合成木材のほか、木材、鉄、アルミニウム等が用いられる。係る充填材２７を用い、表装材１４の下端部が支持具２３に支持されたとき、充填材２７が基板非支持部２８の空隙部を埋め、その部分での断熱性や強度を保持できるようになっている。
【００２７】
さて、図１に示すように、支持具２３を使用して表装材１４を外壁面１５に施工する場合には、まず外壁面１５において表装材１４で被覆される下端縁の位置に合せるように支持具２３を配置し、その内側折曲片２４にビス等の固定具をねじ込むことにより、支持具２３を外壁面１５の所定位置に固定する。次に、その支持具２３の端部（図１の場合には左端部）において、図２に示すように、表装材１４を上から下してその下端部における充填材２７の凹条２７ａに支持具２３の外側折曲片２６を差し込むようにし、表装材１４（図９のＤ）を支持具２３に支持させる。
【００２８】
このとき、支持具２３の内側面には緩衝材２５が貼付されているため、支持具２３に支持された表装材１４の位置ずれが抑えられる。加えて、表装材１４下端部の裏側重ね代部１６に基づく基板非支持部２８には充填材２７が接合されているため、基板非支持部２８の空隙部が埋められ、断熱機能や補強機能を発揮することができる。
【００２９】
次いで、当該表装材１４の表側重ね代部１７の上に、隣接位置（図１では右隣位置）の表装材１４（図９のＦ）の裏側重ね代部１６を載せて貼着する。このとき、その表装材１４の下端部は上記の表装材１４と同様に、その下端部における充填材２７の凹条２７ａに支持具２３の外側折曲片２６を差し込むようにして、表装材１４を支持具２３に支持させる。続いて、同じ操作により、隣接する表装材１４（図９のＩ）を外壁面１５に施工することにより、支持具２３上に表装材１４を支持させることができる。
【００３０】
次に、最初に施工した表装材１４（図９のＤ）の表側重ね代部１７の上に表装材１４（図９のＣ）の裏側重ね代部１６を載せて貼着する。このような操作を順に繰り返して表装材１４を施工することにより、図９に示すように外壁面１５全体に渡って表装材１４を施工することができる。なお、下から２段目より上の表装材１４は最下段の表装材１４の上に直接重ね合せるため、支持具２３は不要である。
【００３１】
以上の実施形態によって発揮される作用及び効果を、以下にまとめて記載する。
・  実施形態での表装材１４の施工方法においては、表装材１４の下端部を支持する支持具２３を建築物の外壁面１５に固定し、該支持具２３上に表装材１４の下端部を支持し、該表装材１４の表側重ね代部１７の上に隣接する表装材１４の裏側重ね代部１６を載せて貼着し、それを順に繰り返すものである。このように、支持具２３によって表装材１４の下端部が支持されるため、支持具２３を外壁面１５に固定した後、その支持具２３上に表装材１４を載せるだけで表装材１４の位置決めを行うことができ、表装材１４の位置ずれを防止することができる。従って、下端部に位置する表装材１４の位置決めを容易に行うことができと共に、作業性を改善することができる。しかも、表装材１４の位置が支持具２３によって綺麗に揃うため、外観を向上させることができる。
【００３２】
・  支持具２３は建築物の外壁面１５に被覆される表装材１４全体の下端部を支持する長さを有していることにより、複数の表装材１４の下端部を同時に位置決めすることができ、作業性を一層改善することができ、外観をさらに向上させることができる。
【００３３】
・  表装材１４の裏側重ね代部１６に基づく基板非支持部２８には、基板１１を支持する充填材２７が配設されており、基板非支持部２８における空隙部を充填材２７で埋めることができるため、その部分における強度、断熱性などの物性を向上させることができる。
【００３４】
・  充填材２７の底面には凹条２７ａが形成されると共に、支持具２３は凹状に折曲げ形成され、その外端部の外側折曲片２６が充填材２７の凹条２７ａに係合するように構成されていることから、支持具２３による表装材１４の支持を一層確実なものにすることができる。さらに、支持具２３が化粧材１３の表面に露出することを回避することができる。
【００３５】
・  支持具２３の内側には緩衝材２５が設けられていることにより、支持具２３内に支持される表装材１４の損傷及び位置ずれを抑えることができる。
・  表装材１４の施工方法に使用される支持具２３は、建築物の外壁面１５等に固定され、表装材１４の下端部を支持するものであるため、係る支持具２３を使用して前記表装材１４の施工方法を実施することにより、その施工方法に係る発明の効果を発揮することができる。
【００３６】
なお、前記各実施形態は、次のように変更して具体化することができる。
・  図１０に示すように、支持具２３の外側折曲片２６は表装材１４の介装シート１２と化粧材１３との間に差し込まれ、支持具２３が基板１１及び介装シート１２を支持するように構成することができる。この場合、介装シート１２と化粧材１３は柔軟性を有していることから、支持具２３の外側折曲片２６を表装材１４の介装シート１２と化粧材１３との間に容易に差し込むことができる。表装材１４の基板非支持部２８には、図１１に示すような四角棒状をなす充填材２７を取付け、基板非支持部２８の空隙部における強度や断熱性を高めるようにすることができる。そして、支持具２３が基板１１と介装シート１２を支持することで表装材１４を支持することができる。
【００３７】
・  支持具２３を、図１２（ａ）〜（ｄ）に示すように構成することもできる。これらの支持具２３は、いずれも凹状部分を有している。図１２（ａ）に示す支持具２３においては、実施形態の支持具２３に比べて、内側折曲片２４が凹状部分よりもさらに下方へ延出された延出部２４ａが設けられている。この場合、延出部２４ａにより外壁面１５に対する支持具２３の固定を一層強固にすることができる。図１２（ｂ）に示す支持具２３では、図１２（ａ）の支持具２３において、底片２９が外側折曲片２６より外方へ延長された延長部３０が設けられている。この場合、延長部３０で介装シート１２や化粧材１３を支持することができる。図１２（ｃ）に示す支持具２３では、図１２（ｂ）に示す支持具２３において、延長部３０の外端部から下方へ延びる垂下部３１が設けられている。図１２（ｄ）に示す支持具２３は、図１２（ｃ）に示す支持具２３において、垂下部３１が４５度斜め下方へ延びる傾斜部３２に置き換えられて構成されている。
【００３８】
・  前記支持具２３を使用し、表装材１４で建築物の内壁面を被覆するように構成することができる。この場合、表装材１４が位置ずれすることなく、建築物の内壁面を綺麗に仕上げることができる。
【００３９】
・  前記充填材２７を表装材１４の基板非支持部２８に貼り付けておくのではなく、支持具２３に取付けておくことも可能である。
・  支持具２３の外側折曲片２６の上端部を断面円弧状に形成し、外側折曲片２６が充填材２７の凹条２７ａに差し込みやすくなるように構成することができる。
【００４０】
・  支持具２３を、断面Ｌ字状などの形状に賦形することも可能である。
・  支持具２３を、建築物の外壁面１５等の壁面に被覆される表装材１４の下辺長より長い長さ、例えば２つ又は３つの表装材１４の下辺長に相当する長さを有するように構成することにより、少なくとも２つの表装材１４の下辺を支持することができる。
【００４１】
・  支持具２３の内側折曲片２４の内側面に貼り付けられた緩衝材２５を省略することができる。
・  表側重ね代部１７、裏側重ね代部１６を表装材１４の上端部及び下端部のみに設けた表装材２１を用いることにより、いわゆる鎧貼りが可能である。また、この鎧貼りを横方向に行うこともできる。
【００４２】
・  基板１１として、前述した材料のほかに、ポリスチレン、ポリウレタン等のプラスチック成形物、サイディング材、ガラス材、シラスボード、軽量気泡コンクリート（ＡＬＣ）、合板、木質繊維板、石膏ボード等を用いることができる。また、基板１１、支持具２３及び充填材２７として合成樹脂（プラスチック）を用いることができ、充填材２７として樹脂発泡体を用いることができる。
【００４３】
・  介装シ−ト１２の色を各種用意し、目地を好みの色にし、デザイン効果を発揮させるように構成することができる。
・  化粧材１３を、御影石調、大理石調、砂岩調、ブロンズ調等、目的とする石材等の調度に変更し、用途に応じて、好みの化粧材を選択することができ、用途の幅を広げるように構成することができる。
【００４４】
・  表装材１４を直角に屈曲させ、表装材１４を壁面の角に対応させて使用可能にすることもできる。
・  介装シ−ト１２を化粧材１３及び基板１１と同形同大に形成し、表側重ね代部１７及び裏側重ね代部１６に相当する部分を別体のシートとして用意し、介装シ−ト１２と別体シートとを接着して表側重ね代部１７及び裏側重ね代部１６を形成することもできる。
【００４５】
次に、前記実施形態から把握できる技術的思想について以下に記載する。
・  前記支持具は、金属板を折り曲げて凹状に形成され、その内側折曲片が外側折曲片よりも長くなるように設定されていることを特徴とする請求項４に記載の表装材の施工方法。この方法によれば、請求項４に係る発明の効果に加えて、内側折曲部を建築物の外壁面等に固定具を用いて容易に固定することができる。
【図面の簡単な説明】
【００４６】
【図１】実施形態の支持具を用いて表装材を施工する状態を示す分解斜視図。
【図２】表装材を支持具で支持した状態を示す断面図。
【図３】充填材を示す斜視図。
【図４】表装材の一部を破断して示す斜視図。
【図５】（ａ）は化粧材を示す平面図、（ｂ）は基板上に介装シートを貼り付けた状態を示す平面図及び（ｃ）は基板を示す平面図。
【図６】図４の６−６線における要部拡大断面図。
【図７】表装材を示す平面図。
【図８】（ａ）〜（ｈ）は、それぞれ異なる形態の表装材を示す平面図。
【図９】表装材を複数並べた状態を示す平面図。
【図１０】別例として、表装材を支持具で支持した状態を示す断面図。
【図１１】別例としての充填材を示す斜視図。
【図１２】（ａ）〜（ｄ）は、支持具の別例を示す断面図。
【符号の説明】
【００４７】
１１…基板、１２…介装シート、１３…化粧材、１４…表装材、１５…建築物の壁面としての外壁面、１６…裏側重ね代部、１７…表側重ね代部、２３…支持具、２６…折曲片としての外側折曲片、２７…充填材、２７ａ…凹条、２８…基板非支持部。
【図１】
2009030245.tif 000003
【図２】
2009030245.tif 000004
【図３】
2009030245.tif 000005
【図４】
2009030245.tif 000006
【図５】
2009030245.tif 000007
【図６】
2009030245.tif 000008
【図７】
2009030245.tif 000009
【図８】
2009030245.tif 000010
【図９】
2009030245.tif 000011
【図１０】
2009030245.tif 000012
【図１１】
2009030245.tif 000013
【図１２】
2009030245.tif 000014